(57)【特許請求の範囲】
【請求項１】
洗濯物を収納する洗濯兼脱水槽を収容する水槽の下部に設け、前記洗濯兼脱水槽を支える支軸に設けたブレーキ機構部のブレーキ力を解除するブレーキ解除装置であって、ブレーキ機構部から突出しブレーキ力を解除するレバーと、ブレーキ解除時に前記レバーと当接する解除金具と、この解除金具の一端に係止された駆動軸を有する駆動装置と、前記解除金具の他端部に形成した摺動部を摺動自在に保持する保持部材と、前記解除金具を前記レバーから離す方向に付勢するばねとを備え、前記ばねの一端を前記保持部材に固定し、他端を前記解除金具に固定するとともに、前記保持部材は保持部とばね固定部と取付部を一体に形成し、前記水槽の下部に取付部により固定した洗濯機のブレーキ解除装置。
【請求項２】
解除金具の摺動部は、断面を略コ字状に形成した請求項１記載の洗濯機のブレーキ解除装置。
【請求項３】
解除金具の摺動部は、透孔を有し、この透孔の幅ａは、保持部材の保持部の幅ｂと同等とした請求項１記載の洗濯機のブレーキ解除装置。
【請求項４】
保持部材の保持部は、端部に凸部を形成し、解除金具の透孔の端部に接触しないようにした請求項１記載の洗濯機のブレーキ解除装置。
【請求項５】
保持部材の座面は、解除金具の傾きを補正する傾斜面を形成した請求項１記載の洗濯機のブレーキ解除装置。
【請求項６】
保持部材は、外形を水槽に設けた一対のＬ状の凸部に収容するとともに、水槽に設けた取付ボスの補強リブと当接または嵌合する壁面または凹部を一体に形成した請求項１記載の洗濯機のブレーキ解除装置。
【発明の詳細な説明】
【０００１】
【発明の属する技術分野】
本発明は、洗濯兼脱水槽を支える支軸に設けたブレーキ機構部のブレーキ力を解除する洗濯機のブレーキ解除装置に関するものである。
【０００２】
【従来の技術】
一般に、洗濯機においては、洗濯し洗濯水を排出した後に、衣類に含浸した水分を絞り出す脱水行程に移るが、その際、洗濯兼脱水槽を支える支軸に設けたブレーキ機構部を解除するのが通常である。
【０００３】
従来、洗濯機は図６に示すように構成していた。以下、その構成について説明する。
【０００４】
図６に示すように、洗濯兼脱水槽１は、洗濯物を収納するもので、中央底部にパルセータ２を回転自在に配設している。水槽３は洗濯兼脱水槽１を内包し、この水槽３の外底部には基板４を固着し、モータ５、ブレーキ機構部６を有する洗濯兼脱水切替機構７などを配設している。また、水槽３の外底部に排水弁装置８およびブレーキ解除装置９を配設している。水槽３の外周下部は防振装置１０、吊り棒１１を介して外枠１２の上部角隅１３より垂下支持している。外枠１２の上部に上部カバー１４を設け、給水弁１５、電源スイッチ１６、制御装置１７などを配設している。
【０００５】
ブレーキ機構部６は、図７に示すように、洗濯兼脱水槽１を支える支軸１８にブレーキホイル１９を固着し、このブレーキホイル１９に一端を固定し他端をレバー２０に固着したブレーキバンド２１をブレーキばね２２のばね力により圧接させて、支軸１８にブレーキ力を加えるように構成している。レバー２０をブレーキばね２２のばね力に抗して軸２３を中心として矢印ａ方向に回動させると、ブレーキ力を解除できる。
【０００６】
ブレーキ解除装置は、図８に示すように構成しており、解除金具２４はブレーキ解除時にレバー２０と当接するもので、この解除金具２４の一端に駆動装置２５の駆動軸２６を係止し、解除金具２４の他端に形成した摺動部２７を保持部２８に摺動自在に保持している。
【０００７】
ばね２９は解除金具２４をレバー２０から離す方向に付勢するものである。ばね２９の一端は保持部材２８を固定する固定金具３０に固定し、他端は解除金具２４に固定し、固定金具３０は水槽３の下部に２本以上のねじ３１のより固定している。解除金具２４の摺動部２７は平板状に形成し、保持部材２８の透孔３２に挿入保持されている。
【０００８】
一般に洗濯機においては、洗いまたはすすぎ行程の終了とほぼ同時に、排水弁装置８を動作させて排水行程に入るとともに、駆動装置２５を動作させてブレーキ機構部６のブレーキ力を解除し、水槽３内の洗濯排水がほぼなくなった時点から脱水行程に入る。
【０００９】
上記構成において、ブレーキ機構部６のブレーキ力を解除するときは、駆動装置２５を付勢して駆動軸２６を矢印ｂ方向に移動させると、解除金具２４を介してレバー２０を図７の矢印ａ方向に回動させることができ、ブレーキ力を解除できる。
【００１０】
【発明が解決しようとする課題】
このような従来の構成では、解除金具２５の摺動部２７を摺動自在に保持する保持部材２８が固定金具３０に固定され、この固定金具３０は水槽３の下部に２本以上のねじ３１のより固定されているため、部品点数が多くコスト高となる問題を有していた。
【００１１】
また、脱水行程時のブレーキ解除動作時に摺動する解除金具２４の摺動部２７は、平板状に形成されているため、強度を確保するには、板厚を厚くする必要がありコスト高になるばかりか、加工性も低下させる問題を有していた。
【００１２】
また、脱水行程時のブレーキ解除動作時に摺動する解除金具２４の摺動部２７は、保持部材２８の透孔３２に挿入保持されているため、摺動部２７の端面のバリが引っかかり摺動動作を悪化させる問題を有していた。
【００１３】
また、解除金具２４をレバー２０から離す方向に付勢するばね２９は、一端を固定金具３０に固定され、他端は解除金具２４に固定されており、このばね２９の取付によっては、例えば、図８のように、駆動装置２５の駆動軸２６を持ち上げる方向（矢印ｃ方向）に付勢している場合、駆動軸２６に常に力が加わっている状態となっているため、駆動軸２６が変形したり、また、駆動装置２５の動作が劣化するという問題を有していた。
【００１４】
さらに、保持部材２８を固定する固定金具３０は水槽３の下部に２本以上のねじ３１により固定されており、位置決め等の構成が施してないため、組立作業性が悪いという問題も有していた。
【００１５】
本発明は上記課題を解決するもので、ブレーキ解除装置の保持部材を多機能化し、部品構成を簡素化して、コストを低減することを目的としている。
【００１６】
【課題を解決するための手段】
本発明は上記目的を達成するために、洗濯物を収納する洗濯兼脱水槽を収容する水槽の下部に設け、洗濯兼脱水槽を支える支軸に設けたブレーキ機構部のブレーキ力を解除するブレーキ解除装置であって、ブレーキ解除時に、解除金具の一端に係止された駆動軸を有する駆動装置により、ブレーキ機構部から突出しブレーキ力を解除するレバーに解除金具を当接させ、解除金具の他端部に形成した摺動部を保持部材により摺動自在に保持するよう構成し、解除金具をレバーから離す方向に付勢するばねの一端を保持部材に固定し、他端を解除金具に固定するとともに、保持部材は保持部とばね固定部と取付部を一体に形成し、水槽の下部に取付部により固定したものである。
【００１７】
これにより、ブレーキ解除装置の保持部材を多機能化することができ、部品構成を簡素化できて、コストを低減することができる。
【００１８】
【発明の実施の形態】
本発明の請求項１に記載の発明は、洗濯物を収納する洗濯兼脱水槽を収容する水槽の下部に設け、前記洗濯兼脱水槽を支える支軸に設けたブレーキ機構部のブレーキ力を解除するブレーキ解除装置であって、ブレーキ機構部から突出しブレーキ力を解除するレバーと、ブレーキ解除時に前記レバーと当接する解除金具と、この解除金具の一端に係止された駆動軸を有する駆動装置と、前記解除金具の他端部に形成した摺動部を摺動自在に保持する保持部材と、前記解除金具を前記レバーから離す方向に付勢するばねとを備え、前記ばねの一端を前記保持部材に固定し、他端を前記解除金具に固定するとともに、前記保持部材は保持部とばね固定部と取付部を一体に形成し、前記水槽の下部に取付部により固定したものであり、ブレーキ解除装置の保持部材を多機能化させることにより、部品構成の簡素化ができ、コストを低減することができる。
【００１９】
請求項２に記載の発明は、上記請求項１に記載の発明において、解除金具の摺動部は、断面を略コ字状に形成したものであり、摺動部の断面係数を増大でき、その結果、摺動部の強度アップによる信頼性を向上できるとともに、適切な板厚にすることができ、コストを低減することができる。
【００２０】
請求項３に記載の発明は、上記請求項１に記載の発明において、解除金具の摺動部は、透孔を有し、この透孔の幅ａは、保持部材の保持部の幅ｂと同等としたものであり、保持部材を分割せずに組立可能にでき、部品構成を簡素化できて、コストを低減することができる。
【００２１】
請求項４に記載の発明は、上記請求項１に記載の発明において、保持部材の保持部は、端部に凸部を形成し、解除金具の透孔の端部に接触しないようにしたものであり、解除金具の透孔の端部にバリなどがあっても、摺動動作時に引っかかる恐れがなく、信頼性を向上することができる。
【００２２】
請求項５に記載の発明は、上記請求項１に記載の発明において、保持部材の座面は、解除金具の傾きを補正する傾斜面を形成したものであり、駆動装置の駆動軸に力が加わるのを防止でき、その結果、駆動軸の変形を防止でき、駆動装置の動作の信頼性を向上することができる。
【００２３】
請求項６に記載の発明は、上記請求項１に記載の発明において、保持部材は、外形を水槽に設けた一対のＬ状の凸部に収容するとともに、水槽に設けた取付ボスの補強リブと当接または嵌合する壁面または凹部を一体に形成したものであり、これらの凸部およびリブにより組立時のガイドができ、作業性を向上することができる。
【００２４】
【実施例】
以下、本発明の実施例について、図面を参照して説明する。なお、洗濯機の構成およびブレーキ機構部の構成は従来例と同じであり、ブレーキ解除装置についても従来例と同じ構成のものは同一符号を付して説明を省略する。
【００２５】
（実施例１）
図１に示すように、解除金具３３は、ブレーキ解除時にレバー２０と当接するもので、一端に駆動装置２５の駆動軸２６を係止し、他端に摺動部３４を形成している。保持部材３５は解除金具３３に形成した摺動部３４を摺動自在に保持する。ばね３６は解除金具３３をレバー２０から離す方向に付勢するもので、ばね３６の一端は保持部材３５に固定し、他端は解除金具３３に固定している。
【００２６】
また、保持部材３５は、解除金具３３に形成した摺動部３４を摺動自在に保持する保持部３７と、ばね３６の一端を固定するばね固定部３８と、水槽３の下部に固定する取付部３９とを一体に形成し、水槽３の下部に取付部３９により固定している。
【００２７】
上記構成において、ブレーキ解除の際、駆動装置２５を付勢すると、駆動軸２６により、解除金具３３を保持部材３５の保持部３７に保持される摺動部３４に沿って引き、解除金具３３がレバー２０と当接し、レバー２０を矢印ｂ方向に引く。復帰する場合は、駆動装置２５のの付勢力を開放すると、駆動軸２６が解放され、レバー２０自身の戻り力と保持部材３５のばね固定部３８に取り付けたレバー２０から離す方向に付勢するばね３６により、解除金具３３は図１の位置に復帰する。
【００２８】
このように、保持部材３５により解除金具３３の摺動部３４を保持するとともに、ばね３６を固定するばね固定部３８と水槽３に固定する取付部３９を一体に形成しているため、部品点数を削減することができ、構成の簡素化によりコストを低減することができる。
【００２９】
（実施例２）
図２に示すように、解除金具３３ａは、ブレーキ解除時にレバー２０（図１参照）と当接するもので、摺動部３４ａを形成しており、この摺動部３４ａは断面を略コ字状に形成し、この解除金具３３ａの摺動部３４ａを摺動自在に保持する保持部材３５ａの保持部３７ａは、図３に示すように構成している。解除金具３３ａの摺動部３４ａに透孔４０を設け、この透孔４０の幅ａは、保持部材３５ａの保持部３７ａの幅ｂと同等としている。また、保持部３７ａの端部に凸部４１を形成し、解除金具３３ａの透孔４０の端部４２に接触しないようにしている。他の構成は上記実施例１と同じである。
【００３０】
上記構成において作用を説明する。解除金具３３ａの摺動部３４ａは断面を略コ字状状に形成しているので、断面係数を増大することができ、その結果、摺動部３４ａの強度を向上することができ、外的な荷重による変形を防止でき、部品としての信頼性を向上することができるとともに、適切な板厚にすることができ、コストを低減することができる。
【００３１】
また、解除金具３３ａの摺動部３４ａの透孔４０の幅ａは、保持部材３５ａの保持部３７ａの幅ｂと同等としているので、保持部材３５ａを９０度回転させることにより、保持部材３５ａを透孔４０に挿入し、解除金具３３ａの摺動部３４ａを保持部材３５ａの保持部３７ａの間に位置することができ、保持部材３５ａを分割せずに組立可能にでき、部品構成を簡素化することができ、コストを低減することができる。
【００３２】
また、保持部材３５ａの保持部３７ａは、端部に凸部４１を形成し、解除金具３３ａの透孔４３の端部４２に接触しないため、解除金具３３ａの透孔４０の端部４２にバリなどがあっても、摺動動作時に引っかかる恐れがなく、信頼性を向上することができる。
【００３３】
（実施例３）
図４に示すように、保持部材３５ｂは解除金具３３に形成した摺動部３４を摺動自在に保持するもので、解除金具３３に形成した摺動部３４を摺動自在に保持する保持部３７ｂと、ばね３６の一端を固定するばね固定部３８ｂと、水槽３の下部に固定する取付部３９ｂとを一体に形成し、水槽３の下部に取付部３９ｂにより固定している。この保持部材３５ｂの座面４３は、解除金具３３の傾きを補正する傾斜面を形成している。他の構成は上記実施例１と同じである。
【００３４】
上記構成において作用を説明する。保持部材３５ｂの座面４３は、解除金具３３の傾きを補正する傾斜面を形成しているので、解除金具３３を水平状態に保つことができ、駆動装置２５の駆動軸２６に、駆動装置２５の駆動軸２６を持ち上げる方向に力が加わるのを防止でき、その結果、駆動軸２６の変形を防止でき、駆動装置２５の動作の信頼性を向上することができる。
【００３５】
（実施例４）
図５に示すように、水槽３は、一対のＬ状の凸部４４を設けるとともに、補強リブ４５を有する取付ボス４６を設けている。保持部材３５ａは、図３に示すように、水槽３に設けた取付ボス４６の補強リブ４５と当接する壁面４６と、補強リブ４５に嵌合する凹部４７を一体に形成し、外形を水槽３に設けた一対のＬ状の凸部４４に収容するよう構成している。他の構成は上記実施例１と同じである。
【００３６】
上記構成において作用を説明する。保持部材３５ａは、外形を水槽３に設けた一対のＬ状の凸部４４に収容するとともに、水槽３に設けた取付ボス４６の補強リブ４５と当接する壁面４６と、補強リブ４５に嵌合する凹部４７を一体に形成しているので、これらの当接または嵌合により、組立時のガイドができ、作業性を向上することができる。
【００３７】
なお、本実施例では、保持部材３５ａに、水槽３に設けた取付ボス４６の補強リブ４５と当接する壁面４６と、補強リブ４５に嵌合する凹部４７を一体に形成しているが、壁面４６または凹部４７のいずれか一方を設けるだけでもよい。
【００３８】
【発明の効果】
以上のように本発明の請求項１に記載の発明によれば、洗濯物を収納する洗濯兼脱水槽を収容する水槽の下部に設け、前記洗濯兼脱水槽を支える支軸に設けたブレーキ機構部のブレーキ力を解除するブレーキ解除装置であって、ブレーキ機構部から突出しブレーキ力を解除するレバーと、ブレーキ解除時に前記レバーと当接する解除金具と、この解除金具の一端に係止された駆動軸を有する駆動装置と、前記解除金具の他端部に形成した摺動部を摺動自在に保持する保持部材と、前記解除金具を前記レバーから離す方向に付勢するばねとを備え、前記ばねの一端を前記保持部材に固定し、他端を前記解除金具に固定するとともに、前記保持部材は保持部とばね固定部と取付部を一体に形成し、前記水槽の下部に取付部により固定したから、ブレーキ解除装置の保持部材を多機能化させることにより、部品構成の簡素化ができ、コストを低減することができる。
【００３９】
また、請求項２に記載の発明によれば、解除金具の摺動部は、断面を略コ字状に形成したから、摺動部の断面係数を増大でき、その結果、摺動部の強度アップによる信頼性を向上できるとともに、適切な板厚にすることができ、コストを低減することができる。
【００４０】
また、請求項３に記載の発明によれば、解除金具の摺動部は、透孔を有し、この透孔の幅ａは、保持部材の保持部の幅ｂと同等としたから、保持部材を分割せずに組立可能にでき、部品構成を簡素化できて、コストを低減することができる。
【００４１】
また、請求項４に記載の発明によれば、保持部材の保持部は、端部に凸部を形成し、解除金具の透孔の端部に接触しないようにしたから、解除金具の透孔の端部にバリなどがあっても、摺動動作時に引っかかる恐れがなく、信頼性を向上することができる。
【００４２】
また、請求項５に記載の発明によれば、保持部材の座面は、解除金具の傾きを補正する傾斜面を形成したから、駆動装置の駆動軸に力が加わるのを防止でき、その結果、駆動軸の変形を防止でき、駆動装置の動作の信頼性を向上することができる。
【００４３】
また、請求項６に記載の発明によれば、保持部材は、外形を水槽に設けた一対のＬ状の凸部に収容するとともに、水槽に設けた取付ボスの補強リブと当接または嵌合する壁面または凹部を一体に形成したから、これらの凸部およびリブにより組立時のガイドができ、作業性を向上することができる。
【図面の簡単な説明】
【図１】本発明の第１の実施例の洗濯機のブレーキ解除装置の要部断面図
【図２】本発明の第２の実施例の洗濯機のブレーキ解除装置の解除金具の要部斜視図
【図３】同洗濯機のブレーキ解除装置の保持部材の斜視図
【図４】本発明の第３の実施例の洗濯機のブレーキ解除装置の要部断面図
【図５】本発明の第４の実施例の洗濯機のブレーキ解除装置の要部斜視図
【図６】従来のブレーキ解除装置を備えた洗濯機の断面図
【図７】従来のブレーキ解除装置により解除されるブレーキ機構部の平面図
【図８】従来の洗濯機のブレーキ解除装置の断面図
【符号の説明】
２０  レバー
２５  駆動装置
２６  駆動軸
３３  解除金具
３４  摺動部
３５  保持部材
３６  ばね
３７  保持部
３８  ばね固定部
３９  取付部
【図１】
0003915302.tif 000002
【図２】
0003915302.tif 000003
【図３】
0003915302.tif 000004
【図４】
0003915302.tif 000005
【図５】
0003915302.tif 000006
【図６】
0003915302.tif 000007
【図７】
0003915302.tif 000008
【図８】
0003915302.tif 000009